(57)【要約】      （修正有）【課題】誰でもが、簡単にホームページを運営、作成することができる、ホームページ書換えシステムを提供する。【解決手段】特定メールアドレスに送られてきた電文を特定プログラムに引き渡すメールサーバと、それを解析するプログラムと、ファイルを転送するための手段と、ホストコンピュータの情報を管理するデータベースと、それらを制御するプログラムにより構成される。メールサーバ及びメール解析プログラムは、連携し受信電文をＨＴＭＬ文、画像、その他に分離しファイル名を付与し保存する。次にデータベースより取得したホストコンピュータの情報を付与したＦＴＰクライアントを実行し、上記にて保存したファイルをホストコンピュータへ転送する。上述する方法によりメールサーバと、ＦＴＰクライアントと、データベースと、メール解析用プログラムと、転送制御用プログラムを連携させることにより、ホームページの書換えを容易にする。【選択図】図２
2005122635.tif 000002
【特許請求の範囲】
【請求項１】
本システムは、受信したメールを通信回線を介して外部にある既存のホームページに反映する機能を具備した転送用コンピュータで構成されていることを特徴とするホームページ転送システムである。転送用コンピュータは、メールの受信機能とメールの内容を解釈するソフトウェアとファイル転送機能とそれらを制御するソフトウェアと、データベースを具備するコンピュータであり通信回線に接続されている。
【請求項２】
請求項１記載の転送用コンピュータは、メールサーバとＦＴＰクライアントとメールを解析するプログラム（以下、メール解析プログラムと記す）とそれらを制御するプログラム（以下、制御プログラムと記す）、及びデータベースを具備するコンピュータでありインターネットに接続されている。
【請求項３】
請求項２記載のメール解析プログラムは、MIME(Multipurpose
Iinternet Mail Extensions)規約に基づく電文を解釈し、メール送信者側で作成したメールイメージを分解しホームページ用データファイルとして出力する機能と、メールに含まれる情報を制御プログラムへフィードバックする機能を具備している。また必要に応じて、コード変換、デコード、データベース参照、及びデータファイルの編集機能を含む。
また、請求項２記載の制御プログラムは、メールサーバ、解析プログラム、ＦＴＰクライアントからの情報、及びデータベースからの情報を基に全体を制御し、インターネットを介して、自動的に既存のホームページを運営するホストコンピュータ（以下、ホストコンピュータと記す）のホームページに反映する。また必要に応じて、コード変換、デコード、及びファイル編集の制御を含む。
また、請求項２記載のデータベースは、ホストコンピュータ上のＦＴＰサーバへの接続に必要なユーザＩＤ、パスワード、ホストコンピュータ上のＷＷＷサーバのＵＲＬなどホストコンピュータに接続するための情報、及びメールＩＤ、ユーザ情報など制御用コンピュータが必要とする情報を管理する。
【請求項４】
請求項３記載のMIME規約に基づく電文は、ハイパーテキストメールである。
【発明の詳細な説明】
【技術分野】
【０００１】
本発明は、インターネット上においてホームページ（以下、ＨＰと記す）を運営するうえでの、ＨＰの運営、及び作成に関する。
【背景技術】
【０００２】
ＨＰを運営するには、ＨＰの保守は不可欠である。
ＨＰの保守には、コンピュータに関する高度な知識をもったウェブデザイナ、プログラマ等（以下、技術者と記す）が、ＨＰ作成用ツール、Telnet、FTP等の高度なコンピュータの利用技術を用いて運営するのが一般的である。
【０００３】
図１にその構成を示す。１は、情報交換・自己表現・商業上の宣伝等の意図を持つ人（以下、オーナと記す）である。オーナから委託された２にしめす技術者が、３のホームページ作成ツール等を用いてパソコン上に作成した、４にしめす画像ファイル、ＨＴＭＬファイル、音声ファイル等のデータファイルを、５のＦＴＰ等ファイル転送用ツールを用いて６のホストコンピュータ上のＷＷＷサーバに反映する方法が一般的である。
【０００４】
更に、ＨＰを作成するには、３のＨＰ作成専用のプログラムを用いたり、ＨＴＭＬに代表されるような高度な専門知識を必要とする出版用言語を用いて作成しなければならない。
【発明の開示】
【発明が解決しようとする課題】
【０００５】
従来の方法では、ＨＰを作成するために、ＨＰ作成専用のプログラムに習熟するか、若しくは高度な出版用言語を修得する必要がある。
【０００６】
作成したＨＰをＷＷＷサーバに反映するには、高度な専門知識と専用ツール（Telnet、ＦＴＰ等）の複雑な操作が必要である。
【０００７】
オーナが、その意図をＷＷＷサーバに反映するには、技術者等にその保守を委託しなければならない。したがってそれらを実行するのに多額のＨＰ作成費用及び保守費用がかかる。
以上のような欠点を有している。
【０００８】
本発明は、これらの欠点を「インターネットメールの送信」という簡単な操作で解決するものである。
【課題を解決するための手段】
【０００９】
上記課題を解決する本発明は次のとうりである。
【００１０】
ハイパーテキストメールは、ＷＷＷサーバ等で使用されるＨＴＭＬ言語で記述されていることに着眼し、それをメール電文の中から抽出しＨＰに反映する。
【００１１】
ハイパーテキストメールは、電文に含まれる「Content-Type:」を参照することでコンテンツの素性を把握することができる。素性は、ＨＴＭＬ文、画像、音楽、音、その他である。
【００１２】
メール解析プログラムを用いてこれらをデコードし、必要に応じて再リンクし、適切なファイル名を付与し分離出力する。
【００１３】
出力されたファイルをＦＴＰクライアントを用いてホストコンピュータへ転送する。
【００１４】
ＦＴＰプログラムに必要とされるホストコンピュータのＵＲＬ、アカウント名、パスワード、ホームディレクトリ等の情報は電文に埋め込むことも可能であるが、操作を容易にするために別途データベースを準備し管理する。
【００１５】
これらメールサーバ、メール解析プログラム、ＦＴＰクライアント、データベースを機能的に結合、制御することで、メール電文を自動的にＨＰに反映することができる。
【００１６】
メールの着信検知は、メールサーバの.ford 等のコントロール機能を利用して行うことができる、この機能を利用し上記の制御を行う制御プログラムを起動する。
【００１７】
本発明は、上記の方法を用いてインターネット上に既存のＷＷＷサーバに対して効果をあたえることを特徴とする。
【発明の効果】
【００１８】
本発明は、ＨＴＭＬ等の出版用言語及びコンピュータの複雑な操作を知らなくても、ＨＰを運営することができるという利点がある。
【実施例】
【００１９】
図２及び図３を例に説明する。
【００２０】
ホストコンピュータ上におかれた、６のＷＷＷサーバにＨＰ用のデータファイルを転送するために、８に示すメールサーバと、１４に示すＦＴＰクライアントと、１１に示すメールサーバが受信したメール電文を分解し、ファイルに出力するメール解析プログラムと、１３にしめすホスト情報を管理するデータベースと、９にしめす全体を制御する制御プログラムなどのソフトウェア群を具備した転送用コンピュータで構成される。
【００２１】
ホストコンピュータ及び転送用コンピュータは、インターネットに接続されている。
【００２２】
ＨＰの作成にあたって１に示すオーナは、１６に示すマイクロソフト社のoutlookexpless 等のメールツールを利用し、見たままのイメージでハイパーテキスト形式のメール電文（以下、ハイパーテキスト電文と記す）を８のメールサーバの管理するユーザ宛てに送信する。これらの操作は、友人に対してインターネットメールを送るのと同等である。また、インターネットの講習会等で最初にとりあげられる教程であり、操作は比較的容易である。
【００２３】
電文を受信したメールサーバはmaildir方式で構成されており、受信したメールを各ユーザに振り分ける。ユーザ毎に設定された.ford等のメールコントロールファイルによりメールユーザアドレスに連結された９の制御用プログラムを起動する。
【００２４】
制御用プログラムは、該当電文をメールサーバよりうけとり、１１のメール解析プログラムにひきわたす。
【００２５】
１１のメール解析プログラムはハイパーテキスト電文を解釈し、１２に相当する通常テキスト、リッチテキスト、画像、音楽、音声、その他に分離編集し、６のＷＷＷサーバが利用可能な形式、若しくはホストコンピュータ上のＨＴＭＬ言語、ＣＧＩ等から利用可能な形式に処理し、適切なファイル名を付与し保存する。必要に応じてメールユーザ名、出力したファイル名、件名、ＣＣ等の情報を制御用プログラムへフィードバックする。
また、それらの情報及び、解析により得られたメールの情報を転送制御用プログラムへフィードバックする。
【００２６】
９の制御用プログラムは、メールユーザ名等をキーとして１３のデータベースを参照し、接続先ＵＲＬ、接続用アカウント、接続用パスワード、その他、ホストコンピュータとの接続に必要な情報を取得する。それらの情報、及び１１のメール解析プログラムからフィードバックされた情報をＦＴＰクライアントにひきわたす。
【００２７】
１４のＦＴＰクライアントは、ひきわたされた情報を基にホストコンピュータに接続し、必要なファイルをホストコンピュータへ転送する。
【産業上の利用可能性】
【００２８】
本発明を利用することで、唯一インターネットメールの操作を修得することで、これまで技術者を必要としていたＨＰの保守が、ＯＳ等の高度な知識がなくても、プログラムなどの専門知識を有しない人でも、Ｔｅｌｎｅｔ、FTP等の複雑な操作を知らなくても、ＨＰを作成したり、ＨＰの全部、若しくは一部変更等ができるようになり、ＨＰの運営を容易に行うことができるようになる。
【００２９】
宣伝、広告等に利用されているＨＰをオーナー自らが保守できることでメンテナンスコストの削減、頻繁なＨＰ更新による信頼の確立、及びインターネットの活性化に寄与するものである。
【００３０】
また、転送用のコンピュータを特定したり、Ｔｅｌｎｅｔ等の通信ポートを閉鎖することで、ホストコンピュータのセキュリティ向上を図ることができる。
【図面の簡単な説明】
【００３１】
【図１】従来の方式による処理をしめす。
【図２】本発明のブロック構成をしめす。
【図３】本発明の方式による処理をしめす。
【符号の説明】
【００３２】
１  オーナ
２  技術者
３  ホームページ作成用ツール
４  表示用の画像、テキスト等データファイル
５  ftp等ファイル転送用ツール
６  WWWサーバ
７  ホームページ閲覧者
８  メールサーバ
９  制御プログラム
１０  メール電文
１１  メール解析プログラム
１２  メールより抽出されたＨＰ表示用の画像、テキスト等データファイル
１３  データベース
１４  ＦＴＰクライアント
１５  ホストコンピュータ
１６  メールツール
【図１】
2005122635.tif 000003
【図２】
2005122635.tif 000004
【図３】
2005122635.tif 000005